(57)【要約】【課題】  片方の面全体にフック状の突起（１Ｂ）が林立し、好みの形に裁断（４）して使用出来、接着用の両面テープ（３）が、もう片方の面に付いている、髪に留めるシート（１Ａ）を提供する。【解決手段】  薄く柔軟性のある土台のシート（１Ａ）で、片方の面全体には、大小の向かい合って湾曲している突起（１Ｂ）が、土台のシート（１Ａ）に対し垂直に林立しその一端は、数列角度を徐々に水平方向まで変化（１Ｃ）させている。  さらにその土台のシート（１Ａ）の一端は、突起（１Ｂ）が林立していない面の方向に折り曲げて（２）ある。  又、前記突起（１Ｂ）が林立していない面には、接着用の両面テープ（３）が貼り付けてある。【選択図】図１
2014108341.tif 000002
【特許請求の範囲】
【請求項１】
薄い柔軟性のある土台のシート（１Ａ）の片方の面全体に垂直方向に突起（１Ｂ）が林立しさらにその面の一端にある突起（１Ｂ）は、土台のシート（１Ａ）の面に対し、徐々に水平方向（１Ｃ）に角度を変化させたことを特徴とする髪に留めるシート。
【請求項２】
突起（１Ｂ）がある面の端が、前記突起（１Ｂ）が林立していない面の方向に折り曲がって（２）いることを特徴としている髪に留めるシート。
【請求項３】
請求項１又は２において、前記突起（１Ｂ）は、柔軟で弾力性のある大小の向かい合って湾曲しているフック状（図４）であることを特徴としている髪に留めるシート。
【請求項４】
請求項１，２，３のいずれかにおいて、前記突起（１Ｂ）が林立していない面に、接着用の両面テープ（３）が貼り付けてあることを特徴としている髪に留めるシート。
【発明の詳細な説明】
【技術分野】
【０００１】  この発明は、好みの形に裁断して使用出来る、片方の面に突起物が林立している接着テープ付きの髪に留めるシートに関する物である。
【背景技術】
【０００２】  従来、化粧を施す際にシートを髪に留めて使用していた（特許文献１参照）。
【先行技術文献】
【０００３】
【特許文献１】  特許公開  ２００９−８２６９１
【発明の概要】
【発明が解決しようとする課題】
【０００４】  特許文献１の髪留めシートには、次のような欠点があった。
従来のシートは、大きさや形が決まっており、接着テープもない為、用途の範囲が限られていた。
この発明は、以上のような欠点をなくす為になされたものである。
【課題を解決する為の手段】
【０００５】  薄く柔軟性のある土台のシート（１Ａ）の片方の面全体には垂直方向に突起（１Ｂ）が林立し、又、その面の一端にある突起（１Ｂ）は、土台のシート（１Ａ）の面に対し垂直方向から徐々に水平方向（１Ｃ）へと変化している。  或いはさらにその土台のシート（１Ａ）の一端は、突起（１Ｂ）が林立していない面の方向に折り曲がって（２）いる物もある。  前記突起（１Ｂ）は、柔軟で弾力性のある大小の向かい合って湾曲しているフック状（図４）になっている。  又、上記いずれかの場合において、前記突起（１Ｂ）が林立していない面には接着用両面テープ（３）が貼り付けてある。
【発明の効果】
【０００６】  請求項１に係る発明は、髪に留めるシート（１Ａ）を帽子の内側に付けた際、まず前方からの風を、徐々に水平方向（１Ｃ）になっている突起（１Ｂ）が前髪に絡んで防ぎ、次に垂直方向に林立している突起（１Ｂ）が、帽子が上に飛ばされるのを防ぐ、又、帽子の形や好みに応じて、薄い柔軟性のある髪に留めるシート（１Ａ）は、簡単にハサミで裁断（４）して使用出来るようにする為のものである。  さらに、請求項２に係る発明は、前記土台のシート（１Ａ）の一端を折り曲げている部分（２）の厚みが増し、髪に絡む力は請求項１の場合よりも増す。  次に請求項３に係る発明は、柔軟で弾力性のあるフックの形状を工夫したもので、まずフックを大小２通り（図４）とした。  その為、髪に絡む位置が２段階に細分化され、効果的に髪に絡むことが出来るようになり、加えてフックが向かい合うことにより、フックで絡めた髪を維持する力を増す為のものである。
又、請求項４に係る発明は、髪に留めるシート（１Ａ）を帽子に付ける手段の１つで、接着用の両面テープ（３）を突起（１Ｂ）のない側に貼り付けてあることにより、手軽に帽子に取り付けたり、位置を変えることが出来るようにする為のものである。  尚、フック状突起（１Ｂ）で帽子が頭に密着しない為、脱帽時、帽子の跡が髪に残りにくい。  又、シート（１Ａ）を付ければ、ゴム等で締め付ける必要がない上、サイズの大き目の帽子もゆったり着帽でき、小顔効果にも繋がる。
【図面の簡単な説明】
【０００７】
【図１】  本発明の請求項１に係る斜視図である。
【図２】  本発明の請求項１に係る側面図である。
【図３】  本発明の請求項２に係る斜視図である。
【図４】  本発明の請求項３に係るフックの詳細図である。
【図５】  本発明の請求項１を基にした請求項４に係る側面図である。
【図６】  本発明の請求項２を基にした請求項４に係る側面図である。
【図７】  本発明の使用状態（帽子の内側に貼付）を示す図である。
【図８】  本発明の使用状態（雨合羽の帽子の内側に貼付）を示す図である。
【図９】  本発明の使用状態（寝癖直し）を示す図である。
【発明を実施する為の形態】
【０００８】  以下、請求項１にかかる発明を図１及び図２，５を用いて説明する。  尚、説明において具体的な寸法を記載しているが、その寸法は最適と思われる寸法であり、本発明をこの寸法のものだけに限定するものではない。
薄く柔軟性のある土台のシート（１Ａ）の大きさは、縦（ａ）１０ｃｍ、横（ｂ）２０ｃｍの長方形とする。  土台のシート（１Ａ）の片方の面全体には弾力性のある高さ４ｍｍ程のフック状突起（１Ｂ）が林立している。  土台のシート（１Ａ）の一端にある突起（１Ｂ）は、土台のシート（１Ａ）の面に対し端から数列徐々に角度を変化しながら（１Ｃ）水平方向まで林立している。  帽子に付ける際は、水平方向に向いている方を帽子の縁に向け、髪に留めるシート（１Ａ）の端が髪の生え際の当たりになるように付け（図５）帽子を被る。  帽子の上から押さえると、まず前方からの風を水平方向になっている突起（１Ｂ）が防ぎ、次に垂直方向の突起（１Ｂ）は、帽子が上に飛ばされるのを防ぐ。  髪に絡む向きを多方向にしたことで、効果的に風で帽子が飛ばされ事を防ぐことになる。  又、帽子の形や好みに応じて、薄い柔軟性のある髪に留めるシート（１Ａ）は、簡単にハサミで裁断（４）して使用出来る。
次に、請求項２に係る発明を図３，６を用いて説明する。
薄い柔軟性のある土台のシート（１Ａ）の片方の面全体に、突起（１Ｂ）が垂直方向に林立している面の土台のシート（１Ａ）の一端が、前記（１Ｂ）が林立していない面の方向に折曲がり（２）、且つ、土台のシート（１Ａ）の端から数列、突起（１Ｂ）が徐々に角度を変化（１Ｃ）しながら、水平方向まで林立している。  折曲がっている為、その部分の厚みが増し、髪に絡む力は請求項１の場合よりも増す。  野球やゴルフ等のプレー中にも帽子を気にせずプレー出来、外かは見えない為ファッション性を損なわず、又、締め付けていない為、脱帽時にも髪に帽子の跡が残りにくい。
続いて請求項３に係る発明を図４を用いて説明する。
土台のシート（１Ａ）片方の面には、柔軟で弾力性のある、向かい合って湾曲している大小のフック状の４ｍｍ程の突起（１Ｂ）が林立している。  フックを大と小、二通りとした事で、髪に絡む位置が２段階に細分化され、効果的に髪に絡むことが出来、加えてフックが向かい合うことにより、フックで絡めた髪を維持する力を増している。  その為、帽子の内側に付けた場合、帽子の外側から少し押さえると、柔軟で弾力性のあるフック状突起（１Ｂ）が髪によく絡み、それが維持される為、帽子は風で飛ばされなくなる。
又、請求項４に係る発明を図７，８を用いて説明する。
髪に留めるシート（１Ａ）を帽子に付ける手段の１つで、接着用両面テープ（３）を突起（１Ｂ）のない側の土台のシート（１Ａ）に取り付けてある。  その為、手軽に帽子に取り付けたり、位置を変えることが出来る。  雨合羽の帽子の内側前面に取り付けると（図）６、紐できつく締める必要がない為、髪のムレや乱れをあまり気にせず着用できる。  ニット帽等、接着テープが貼り付けにくい場合は、裁断したシートの２枚の接着面を貼りあわせて使用し、１方の面を帽子側に置き押さえると、フック状突起（１Ｂ）が絡み帽子に付けることが出来る。
次に他の使用方法として、寝癖直しを図１及び図９を用いて説明する。
少し湿らせた髪に、髪に留めるシート（１Ａ）を軽く上から押さえ、寝癖の部分に留めると、広範囲の寝癖も簡単に直すことが出来る。  取り外す時は髪の流れに沿って下に滑らせると、櫛で髪を梳かすようにスムーズに外すことが出来る。
尚、寸法は、上記以外に説明した値以外にもあり得ることは、自明の事であり、当然のことである。
【符号の説明】
【０００９】  １Ａ  フック状突起のある側の本体シートの表面
１Ｂ  １組のフック状突起
１Ｃ  突起の向きが水平方向へ角度を徐々に変えている部分
２    本体シートを折曲げている部分
３    接着用の両面テープ
４    好みの形に裁断した本体シート
【図１】
2014108341.tif 000003
【図２】
2014108341.tif 000004
【図３】
2014108341.tif 000005
【図４】
2014108341.tif 000006
【図５】
2014108341.tif 000007
【図６】
2014108341.tif 000008
【図７】
2014108341.tif 000009
【図８】
2014108341.tif 000010
【図９】
2014108341.tif 000011
【手続補正書】
【提出日】平成25年4月30日(2013.4.30)
【手続補正１】
【補正対象書類名】特許請求の範囲
【補正対象項目名】請求項２
【補正方法】変更
【補正の内容】
【請求項２】
請求項１において、突起(１Ｂ)がある面の端が、前記突起(１Ｂ)  が林立していない面の方向に折り曲がって(２)いることを特徴としている髪に留めるシート。  
【手続補正２】
【補正対象書類名】特許請求の範囲
【補正対象項目名】請求項３
【補正方法】変更
【補正の内容】
【請求項３】
請求項１又は２において、前記突起(１Ｂ)は、柔軟で弾力性のある大小の向かい合って湾曲しているフック状であることを特徴としている髪に留めるシート。